(57)【特許請求の範囲】
【請求項１】
差動形式の画素クロックを受信する第１のレシーバーと、
前記画素クロックに同期した差動形式の画像信号を受信する第２のレシーバーと、
前記画素クロックに同期した差動形式の信号であって、複数種類の制御信号を時間多重化した時間多重制御信号を受信する第３のレシーバーと、
前記第１のレシーバーにより受信された画素クロックに同期して、前記第２のレシーバーを介して画像信号を受信し、電気光学装置を駆動する画像信号を発生するとともに、前記第１のレシーバーにより受信された画素クロックに同期して、前記第３のレシーバーを介して時間多重制御信号を受信し、前記時間多重制御信号から前記複数種類の制御信号を各々抽出し、前記電気光学装置の駆動制御を行う制御回路と、を具備し、
前記制御回路は、垂直走査期間内または水平走査期間内における前記電気光学装置の駆動態様を指定するコマンドを前記時間多重制御信号から抽出して、抽出したコマンドが示す駆動態様で前記電気光学装置の駆動制御を行う手段と、
前記電気光学装置の駆動条件の周期的な更新制御を行う手段と、
前記電気光学装置の駆動態様を指定するコマンドとして、周期的な更新制御の対象である駆動条件の内容を指定する同期化コマンドを抽出し、前記周期的な更新制御の対象である駆動条件の内容を、記憶された複数のパターンの中から選択することで、抽出した同期化コマンドが示す内容に設定する同期化手段と
を具備することを特徴とする駆動用集積回路。
【請求項２】
前記制御回路は、前記制御信号として前記電気光学装置の垂直同期のタイミングを指示する制御信号を前記時間多重制御信号から抽出して、前記電気光学装置に対する垂直同期信号を発生する手段を具備することを特徴とする請求項１に記載の駆動用集積回路。
【請求項３】
前記制御回路は、前記制御信号として前記電気光学装置の水平同期のタイミングを指示する制御信号を前記時間多重制御信号から抽出して、前記電気光学装置に対する水平同期信号を発生する手段を具備することを特徴とする請求項１に記載の駆動用集積回路。
【請求項４】
前記電気光学装置は、前記画像信号に基づく階調電圧が印加される画素電極および共通電極と、前記画素電極および共通電極間に挟まれた電気光学素子とを各々有する複数の画素回路を有し、
前記制御回路は、前記電気光学装置の駆動態様を指定するコマンドとして、前記階調電圧の極性を指示するコマンドを前記時間多重制御信号から抽出して、抽出したコマンドが示す極性の階調電圧を前記画素電極および共通電極間に印加させるための前記電気光学装置の制御を行うことを特徴とする請求項１に記載の駆動用集積回路。
【請求項５】
前記電気光学装置は、前記画像信号に基づく階調電圧が印加される画素電極および共通電極と、前記画素電極および共通電極間に挟まれた電気光学素子とを各々有する複数の画素回路を有し、
前記制御回路は、前記電気光学装置の駆動態様を指定するコマンドとして、階調反転を指示するコマンドを前記時間多重制御信号から抽出して、前記画像信号が示す階調を反転させた階調を示す階調電圧を前記画素電極および共通電極間に印加させるための前記電気光学装置の制御を行うことを特徴とする請求項１に記載の駆動用集積回路。
【請求項６】
前記制御回路は、前記電気光学装置の駆動態様を指定する制御信号として、上下反転表示を指示するコマンドを前記時間多重制御信号から抽出して、前記画像信号が示す画像を上下反転させた画像を前記電気光学装置に表示させるための制御を行うことを特徴とする請求項１に記載の駆動用集積回路。
【請求項７】
前記制御回路は、前記電気光学装置の駆動態様を指定するコマンドとして、左右反転表示を指示するコマンドを前記時間多重制御信号から抽出して、前記画像信号が示す画像を左右反転させた画像を前記電気光学装置に表示させるための制御を行うことを特徴とする請求項１に記載の駆動用集積回路。
【請求項８】
前記コマンドは、駆動条件の種類を示すアドレスと、その駆動条件における駆動内容を示すデータとからなり、
前記制御回路は、所定のアドレスを有するコマンドのみを前記時間多重制御信号から抽出することを特徴とする請求項１に記載の駆動用集積回路。
【請求項９】
前記制御回路は、電気光学装置の駆動態様を指定する付加信号と水平同期信号とを連続させた制御信号を抽出して、前記電気光学装置に水平同期信号を供給するとともに、当該水平同期信号により開始される水平走査期間の次の水平走査期間に、当該制御信号に含まれる付加信号が示す駆動態様での前記電気光学装置の駆動制御を行うことを特徴とする請求項３に記載の駆動用集積回路。
【請求項１０】
前記制御回路は、電気光学装置の駆動態様を指定する付加信号と水平同期信号とを連続させた制御信号を抽出して、前記電気光学装置に水平同期信号を供給するとともに、当該水平同期信号により開始される水平走査期間に、当該制御信号に含まれる付加信号が示す駆動態様での前記電気光学装置の駆動制御を行うことを特徴とする請求項３に記載の駆動用集積回路。
【請求項１１】
前記付加信号が前記電気光学装置に設けられた複数の走査線のうち駆動対象とする走査線を指定する情報であることを特徴とする請求項９または１０に記載の駆動用集積回路。
【請求項１２】
前記制御回路は、電気光学装置の駆動態様を指定する付加信号と垂直同期信号とを連続させた制御信号を抽出して、前記電気光学装置に垂直同期信号を供給するとともに、当該垂直同期信号により開始される垂直走査期間の次の垂直走査期間に、当該制御信号に含まれる付加信号が示す駆動態様での前記電気光学装置の駆動制御を行うことを特徴とする請求項２に記載の駆動用集積回路。
【請求項１３】
前記制御回路は、電気光学装置の駆動態様を指定する付加信号と垂直同期信号とを連続させた制御信号を抽出して、前記電気光学装置に垂直同期信号を供給するとともに、当該垂直同期信号により開始される垂直走査期間に、当該制御信号に含まれる付加信号が示す駆動態様での前記電気光学装置の駆動制御を行うことを特徴とする請求項２に記載の駆動用集積回路。
【請求項１４】
前記制御回路は、各種のコマンドを前記時間多重制御信号から抽出して、抽出したコマンドに従って前記電気光学装置を駆動する手段を具備し、前記電気光学装置の垂直同期のタイミングを指示するコマンドが抽出されるのに応じて、前記電気光学装置に対して垂直同期信号を出力することを特徴とする請求項１に記載の駆動用集積回路。
【請求項１５】
前記制御回路は、各種のコマンドを前記時間多重制御信号から抽出して、抽出したコマンドに従って前記電気光学装置を駆動する手段を具備し、前記電気光学装置の水平同期のタイミングを指示するコマンドが抽出されるのに応じて、前記電気光学装置に対して水平同期信号を出力することを特徴とする請求項１に記載の駆動用集積回路。
【請求項１６】
前記制御回路は、前記第２のレシーバーによる一水平走査期間分の画像信号の受信が一水平走査期間の途中で終了した場合に、次の水平走査期間が開始されるまで前記第２のレシーバーに対する電力供給を停止する手段を具備することを特徴とする請求項１乃至１５のいずれか１項に記載の駆動用集積回路。
【請求項１７】
互いに交差する複数の走査線および複数の信号線を有するとともに、前記複数の走査線と前記複数の信号線との各交差に対応して各々配置された複数の画素回路を有する画素部と、一垂直走査期間内に前記複数の走査線を順次選択し、選択した走査線と前記複数の信号線との各交差に対応付けられた複数の画素回路を前記複数の信号線に接続する走査線駆動回路とを具備する電気光学装置を制御する駆動用制御回路であって、
差動形式の画素クロックを受信する第１のレシーバーと、
前記画素クロックに同期した差動形式の画像信号を受信する第２のレシーバーと、
前記画素クロックに同期した差動形式の信号であって、複数種類の制御信号を時間多重化した時間多重制御信号を受信する第３のレシーバーと、
前記第１のレシーバーにより受信された画素クロックに同期して、前記第２のレシーバーを介して画像信号を受信し、前記電気光学装置を駆動する画像信号を発生するとともに、前記第１のレシーバーにより受信された画素クロックに同期して、前記第３のレシーバーを介して時間多重制御信号を受信し、前記時間多重制御信号から前記複数種類の制御信号を各々抽出し、前記電気光学装置の駆動制御を行う制御回路と、
前記複数の信号線を複数の配線ブロックに分け、配線ブロック毎に、一水平走査期間内に当該配線ブロックに属する各信号線を順次選択し、選択した信号線に階調電圧を印加する信号線駆動回路と、を具備し、
前記制御回路は、
前記複数の配線ブロックにおける配線ブロック内の複数の信号線への階調電圧の印加順序の周期的な更新制御を実行する手段と、
前記電気光学装置の駆動態様を指定するコマンドとして、前記複数の信号線への階調電圧の印加順序を指定する同期化コマンドを抽出し、前記周期的な更新制御の対象である複数の信号線への階調電圧の印加順序を、記憶された複数のパターンの中から選択することで、抽出した同期化コマンドが示す印加順序に設定する同期化手段と
を具備することを特徴とする駆動用集積回路。
【請求項１８】
電気光学装置と、
前記電気光学装置の駆動制御を行う請求項１乃至１７のいずれか１項に記載の駆動用集積回路と、
前記駆動用集積回路に対して前記画素クロック、画像信号および時分割多重制御信号を供給するホストＣＰＵと
を具備することを特徴とする電子機器。
【発明の詳細な説明】
【技術分野】
【０００１】
本発明は、液晶パネル等の電気光学装置に好適な駆動用集積回路、これを用いた電子機器に関する。
【背景技術】
【０００２】
周知のように、液晶パネル等の電気光学装置は、複数の信号線と複数の走査線との各交差に対応して画素回路が設けられている。このような電気光学装置では、１本の走査線に対応付けられた全ての画素回路に対する画像信号の書き込みを一水平走査期間内に完了させる必要がある。このため、電気光学装置を利用した電子機器として、高速な差動インターフェイスを介して画像信号を受信して電気光学装置を駆動する駆動用集積回路を備えたものが各種提案されている（例えば特許文献１参照）。
【先行技術文献】
【特許文献】
【０００３】
【特許文献１】特開２００９−２３８８９２号公報
【発明の概要】
【発明が解決しようとする課題】
【０００４】
ところで、従来の駆動用集積回路は、画像信号を差動インターフェイスを介して受信する一方、同期信号等の制御信号をシングルエンド形式のシリアルインターフェイスを介して受信し、電気光学装置の駆動を行っていた。このため、従来の駆動用集積回路は、端子数が多く、またノイズによる誤動作が発生し易いという問題があった。また、従来の駆動用集積回路は、端子数が多く、ノイズによる誤動作が発生し易いため、駆動用集積回路を搭載するための基板の設計および製造が難しいという問題があった。
【０００５】
この発明は、以上説明した事情に鑑みてなされたものであり、端子数が少なく、かつ、電気光学装置を駆動するのに必要な画像信号および制御信号を高速に受信して電気光学装置を駆動することができ、さらに耐ノイズ性に優れた駆動用集積回路を提供することを目的とする。
【課題を解決するための手段】
【０００６】
上述した課題を解決するため、本発明に係る駆動用集積回路は、差動形式の画素クロックを受信する第１のレシーバーと、前記画素クロックに同期した差動形式の画像信号を受信する第２のレシーバーと、前記画素クロックに同期した差動形式の信号であって、複数種類の制御信号を時間多重化した時間多重制御信号を受信する第３のレシーバーと、前記第１のレシーバーにより受信された画素クロックに同期して、前記第２のレシーバーを介して画像信号を受信し、電気光学装置を駆動する画像信号を発生するとともに、前記第１のレシーバーにより受信された画素クロックに同期して、前記第３のレシーバーを介して時間多重制御信号を受信し、前記時間多重制御信号から前記複数種類の制御信号を各々抽出し、前記電気光学装置の駆動制御を行う制御回路とを具備する。
【０００７】
かかる発明によれば、駆動用集積回路に対して供給する制御信号を差動形式の信号とすることができるので、ノイズ耐性の向上、駆動用集積回路での取り込みミスの低減、転送速度の向上を図ることができる。また、複数種類の制御信号を時間多重した信号を駆動用集積回路に供給すればよいので、駆動用集積回路に対して信号を伝送するための信号線数の低減、駆動用集積回路の端子数の低減が可能になる。
【０００８】
好ましい態様において、前記制御回路は、前記制御信号として前記電気光学装置の垂直同期のタイミングを指示する制御信号を前記時間多重制御信号から抽出して、前記電気光学装置に対する垂直同期信号を発生する手段を具備する。
【０００９】
また、他の好ましい態様において、前記制御回路は、前記制御信号として前記電気光学装置の水平同期のタイミングを指示する制御信号を前記時間多重制御信号から抽出して、前記電気光学装置に対する水平同期信号を発生する手段を具備する。
【００１０】
これらの態様によれば、上位装置から垂直同期または水平同期のタイミングを指示する制御信号を時間多重制御信号の一部として駆動用集積回路に供給することにより、電気光学装置の水平同期または垂直同期を行わせることができる。また、これらの態様において、水平同期または垂直同期のタイミングを指示する制御信号は差動形式の信号として駆動用集積回路に伝送されるので、伝送過程において制御信号にノイズが重畳したとしても、駆動用集積回路では、ノイズをキャンセルした状態でその制御信号を受信することができる。従って、ノイズの影響により誤ったタイミングで水平同期または垂直同期が行われるのを防止することができる。
【００１１】
他の好ましい態様において、前記制御回路は、垂直走査期間内または水平走査期間内における前記電気光学装置の駆動態様を指定するコマンドを前記時間多重制御信号から抽出して、抽出したコマンドが示す駆動態様で前記電気光学装置の駆動制御を行う手段を具備する。
【００１２】
具体例を挙げると、前記電気光学装置は、前記画像信号に基づく階調電圧が印加される画素電極および共通電極と、前記画素電極および共通電極間に挟まれた電気光学素子とを各々有する複数の画素回路を有し、前記制御回路は、前記電気光学装置の駆動態様を指定するコマンドとして、前記画素電極および共通電極間に与える階調電圧の極性を指示するコマンドを前記時間多重制御信号から抽出して、抽出したコマンドが示す極性の階調電圧を前記画素電極および共通電極間に印加させるための前記電気光学装置の制御を行う。
【００１３】
他の具体例では、前記電気光学装置は、前記画像信号に基づく階調電圧が印加される画素電極および共通電極と、前記画素電極および共通電極間に挟まれた電気光学素子とを各々有する複数の画素回路を有し、前記制御回路は、前記電気光学装置の駆動態様を指定するコマンドとして、階調反転を指示するコマンドを前記時間多重制御信号から抽出して、前記画像信号が示す階調を反転させた階調を示す階調電圧を前記画素電極および共通電極間に印加させるための前記電気光学装置の制御を行う。
【００１４】
他の具体例では、前記制御回路は、前記電気光学装置の駆動態様を指定する制御信号として、上下反転表示を指示するコマンドを前記時間多重制御信号から抽出して、前記画像信号が示す画像を上下反転させた画像を前記電気光学装置に表示させるための制御を行う。
【００１５】
他の具体例では、前記制御回路は、前記電気光学装置の駆動態様を指定するコマンドとして、左右反転表示を指示するコマンドを前記時間多重制御信号から抽出して、前記画像信号が示す画像を左右反転させた画像を前記電気光学装置に表示させるための制御を行う。
【００１６】
これらの態様によれば、各種の制御信号を時間多重した時間多重制御信号を一対の信号線を介して駆動用集積回路に供給することにより、駆動用集積回路に電気光学装置の多彩な駆動制御を行わせることができる。
【００１７】
他の好ましい態様において、前記制御回路は、前記電気光学装置の駆動条件の周期的な更新制御を行う手段と、前記電気光学装置の駆動態様を指定するコマンドとして、周期的な更新制御の対象である駆動条件の内容を指定する同期化コマンドを抽出し、前記周期的な更新制御の対象である駆動条件の内容を、抽出した同期化コマンドが示す内容に設定する同期化手段とを具備する。
【００１８】
この態様によれば、同期化コマンドを駆動用集積回路に供給することにより、駆動用集積回路によって行われる周期的な更新制御の対象である駆動条件の内容を、所望の内容に設定することができる。
【００１９】
この態様の具体例として、次の態様がある。
すなわち、前記電気光学装置は、互いに交差する複数の走査線および複数の信号線を有するとともに、前記複数の走査線と前記複数の信号線との各交差に対応して各々配置された複数の画素回路を有する画素部と、一垂直走査期間内に前記複数の走査線を順次選択し、選択した走査線と前記複数の信号線との各交差に対応付けられた複数の画素回路を前記複数の信号線に接続する走査線駆動回路とを具備し、前記駆動用集積回路は、前記複数の信号線を複数の配線ブロックに分け、配線ブロック毎に、一水平走査期間内に当該配線ブロックに属する各信号線を順次選択し、選択した信号線に階調電圧を印加する信号線駆動回路を具備し、前記駆動用集積回路の制御回路は、前記複数の配線ブロックにおける配線ブロック内の複数の信号線への階調電圧の印加順序の周期的な更新制御を実行する手段と、前記電気光学装置の駆動態様を指定するコマンドとして、前記複数の信号線への階調電圧の印加順序を指定する同期化コマンドを抽出し、前記周期的な更新制御の対象である複数の信号線への階調電圧の印加順序を、抽出した同期化コマンドが示す印加順序に設定する同期化手段とを具備する。
【００２０】
この態様によれば、同期化コマンドを駆動用集積回路に供給することにより、駆動用集積回路において行われる周期的な更新制御の対象である複数の信号線への階調電圧の印加順序を、同期化コマンドが示す印加順序に設定することができる。
【００２１】
他の好ましい態様において、前記コマンドは、駆動条件の種類を示すアドレスと、その駆動条件における駆動内容を示すデータとからなり、前記制御回路は、所定のアドレスを有するコマンドのみを前記時間多重制御信号から抽出する。
【００２２】
この態様において、制御回路は、所定のアドレスを有するコマンドのみを時間多重制御信号から抽出するので、ノイズ耐性をさらに高めることができる。
【００２３】
他の好ましい態様において、前記制御回路は、電気光学装置の駆動態様を指定する付加信号と水平同期信号とを連続させた制御信号を抽出して、前記電気光学装置に水平同期信号を供給するとともに、当該水平同期信号により開始される水平走査期間の次の水平走査期間に、当該制御信号に含まれる付加信号が示す駆動態様での前記電気光学装置の駆動制御を行う。また、他の好ましい態様において、前記制御回路は、電気光学装置の駆動態様を指定する付加信号と水平同期信号とを連続させた制御信号を抽出して、前記電気光学装置に水平同期信号を供給するとともに、当該水平同期信号により開始される水平走査期間に、当該制御信号に含まれる付加信号が示す駆動態様での前記電気光学装置の駆動制御を行う。
【００２４】
これらの態様において、付加信号は、例えば電気光学装置に設けられた複数の走査線のうち駆動対象とする走査線を指定する信号である。これらの態様によれば、付加信号の送信により、水平走査期間に同期して行われる駆動制御の内容を切り換えることができる。
【００２５】
他の好ましい態様において、前記制御回路は、電気光学装置の駆動態様を指定する付加信号と垂直同期信号とを連続させた制御信号を抽出して、前記電気光学装置に垂直同期信号を供給するとともに、当該垂直同期信号により開始される垂直走査期間の次の垂直走査期間に、当該制御信号に含まれる付加信号が示す駆動態様での前記電気光学装置の駆動制御を行う。また、他の好ましい態様において、前記制御回路は、電気光学装置の駆動態様を指定する付加信号と垂直同期信号とを連続させた制御信号を抽出して、前記電気光学装置に垂直同期信号を供給するとともに、当該垂直同期信号により開始される垂直走査期間に、当該制御信号に含まれる付加信号が示す駆動態様での前記電気光学装置の駆動制御を行う。これらの態様によれば、付加信号の送信により、垂直走査期間に同期して行われる駆動制御の内容を切り換えることができる。
【００２６】
他の好ましい態様において、前記制御回路は、各種のコマンドを前記時間多重制御信号から抽出して、抽出したコマンドに従って前記電気光学装置を駆動する手段を具備し、前記電気光学装置の垂直同期のタイミングを指示するコマンドが抽出されるのに応じて、前記電気光学装置に対して垂直同期信号を出力する。
【００２７】
また、他の好ましい態様において、前記制御回路は、各種のコマンドを前記時間多重制御信号から抽出して、抽出したコマンドに従って前記電気光学装置を駆動する手段を具備し、前記電気光学装置の垂直同期のタイミングを指示するコマンドが抽出されるのに応じて、前記電気光学装置に対して垂直同期信号を出力する。
【００２８】
これらの態様では、水平同期信号または垂直同期信号の発生を指令する制御信号をも含む広い範囲の制御信号をコマンドとして駆動用集積回路に供給することができる。
【００２９】
他の好ましい態様において、前記制御回路は、前記第２のレシーバーによる一水平走査期間分の画像信号の受信が一水平走査期間の途中で終了した場合に、次の水平走査期間が開始されるまで前記第２のレシーバーに対する電力供給を停止する手段を具備する。
【００３０】
この態様によれば、画像信号の供給が行われない期間内の第２のレシーバーへの電力供給を断ち、駆動用集積回路の消費電力を低減することができる。
【００３１】
次に、本発明に係る電子機器は、電気光学装置と、前記電気光学装置の駆動制御を行う上記各種の駆動用集積回路と、前記駆動用集積回路に対して前記画素クロック、画像信号および時分割多重制御信号を供給するホストＣＰＵとを具備する。
【００３２】
かかる発明によれば、駆動用集積回路におけるノイズ耐性の向上、取り込みミスの低減、ホストＣＰＵから駆動用集積回路への制御信号の転送速度の向上を図ることができる。また、複数種類の制御信号を時間多重した信号を駆動用集積回路に供給すればよいので、ホストＣＰＵから駆動用集積回路に対して信号を伝送するための信号線数の低減、駆動用集積回路の端子数の低減が可能になる。
【図面の簡単な説明】
【００３３】
【図１】この発明の第1実施形態である駆動用集積回路が適用される投射型表示装置の構成を示す模式図である。
【図２】同実施形態において電気光学装置と駆動用集積回路とがフレキシブル回路基板を介して接続された状態を示す斜視図である。
【図３】同実施形態における電気光学装置の構成を示すブロック図である。
【図４】同電気光学装置の画素回路の構成を示す回路図である。
【図５】同実施形態による駆動用集積回路の構成を示すブロック図である。
【図６】同駆動用集積回路の制御回路およびレシーバー部の構成を示すブロック図である。
【図７】同制御回路のパターンジェネレーターに記憶された選択パターンデータの内容を例示する図である。
【図８】同電気光学装置の動作を示すタイムチャートである。
【図９】同実施形態において行われる配線ブロック内の複数の信号線への階調電圧の印加順序の更新制御の様子を例示する図である。
【図１０】同実施形態においてホストＣＰＵから駆動用集積回路へ送られる各種の信号の波形を示すタイムチャートである。
【図１１】同実施形態においてホストＣＰＵから駆動用集積回路へ水平同期信号およびコマンドが送られる様子を示すタイムチャートである。
【図１２】この発明の第２実施形態においてホストＣＰＵから駆動用集積回路へ水平同期信号とともに付加信号が送られる様子を示すタイムチャートである。
【図１３】この発明の第３実施形態においてホストＣＰＵから駆動用集積回路へ水平同期信号とともに付加信号が送られる様子を示すタイムチャートである。
【図１４】この発明の適用例である他の電子機器の形態（パーソナルコンピューター）を示す斜視図である。
【図１５】この発明の適用例である他の電子機器の形態（携帯電話機）を示す斜視図である。
【発明を実施するための形態】
【００３４】
＜第１実施形態＞
図１は、この発明の第１実施形態である駆動用集積回路の適用例である投射型表示装置（３板式のプロジェクター）４０００の構成を示す模式図である。この投射型表示装置４０００は、相異なる表示色Ｒ、Ｇ、Ｂに各々対応する３個の電気光学装置１００（１００Ｒ，１００Ｇ，１００Ｂ）を含んでいる。照明光学系４００１は、照明装置（光源）４００２からの出射光のうち赤色成分ｒを電気光学装置１００Ｒに供給し、緑色成分ｇを電気光学装置１００Ｇに供給し、青色成分ｂを電気光学装置１００Ｂに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。
【００３５】
図２は投射型表示装置４０００における1個の電気光学装置１００に対する信号伝送系の構成を示す図である。図２に示すように、投射型表示装置４０００は、この発明の第１実施形態である駆動用集積回路２００の搭載されたフレキシブル回路基板３００を有している。電気光学装置１００は、このフレキシブル回路基板３００および駆動用集積回路２００を介して、図示しないホストＣＰＵに接続されている。ここで、駆動用集積回路２００は、ホストＣＰＵからフレキシブル回路基板３００を介して画像信号および駆動制御のための各種の制御信号を受信し、フレキシブル回路基板３００を介して電気光学装置１００を駆動する装置である。
【００３６】
図３は、電気光学装置１００の構成を示すブロック図である。図３に示すように、電気光学装置１００は、画素部１０と、走査線駆動回路２２と、Ｊ個のデマルチプレクサー５７[１１]〜５７[Ｊ]とを有する。
【００３７】
画素部１０には、相互に交差するＭ本の走査線１２とＮ本の信号線１４とが形成されている（Ｍ，Ｎは自然数）。複数の画素回路ＰＩＸは、各走査線１２と各信号線１４との交差に対応して設けられており、縦Ｍ行×横Ｎ列の行列状に配列されている。
【００３８】
図４は、各画素回路ＰＩＸの構成を示す回路図である。図４に示すように、各画素回路ＰＩＸは、液晶素子４２と選択スイッチ４４とを含んでいる。液晶素子４２は、相対向する画素電極４２１および共通電極４２３と両電極間の液晶４２５とで構成された電気光学素子である。画素電極４２１と共通電極４２３との間の印加電圧に応じて液晶４２５の透過率が変化する。なお、以下の説明では便宜的に、画素電極４２１が共通電極４２３と比較して高電位である場合の液晶素子４２の印加電圧を正極性と表記し、画素電極４２１が低電位である場合の印加電圧を負極性と表記する。
【００３９】
選択スイッチ４４は、走査線１２にゲートが接続されたＮチャネル型の薄膜トランジスターで構成され、液晶素子４２（画素電極４２１）と信号線１４との間に介在して両者の電気的な接続（導通／非導通）を制御する。従って、画素回路ＰＩＸ（液晶素子４２）は、選択スイッチ４４がＯＮ状態であるときの信号線１４の電圧（後述の階調電圧ＶＧ）に応じた階調を表示する。
以上が図３における各画素回路ＰＩＸの構成である。
【００４０】
図３において、走査線駆動回路２２とＭ本の走査線１２との間には、走査線駆動回路２２が出力する走査信号Ｇ［１］〜Ｇ［Ｍ］をＭ本の走査線１２の各々に出力するか否かを切り換えるためのＭ個のＡＮＤゲート２３［１］〜２３［Ｍ］が設けられている。ここで、Ｍ個のＡＮＤゲート２３［１］〜２３［Ｍ］のうち奇数番目の各ＡＮＤゲート２３［ｍ］（ｍは奇数）にはイネーブル信号ＥＮ１が与えられ、偶数番目の各ＡＮＤゲート２３［ｍ］（ｍは偶数）にはイネーブル信号ＥＮ２が与えられる。
【００４１】
走査線駆動回路２２は、内部水平同期信号ＨＳが出力されるのに応じて、各走査線１２に対する走査信号Ｇ［１］〜Ｇ［Ｍ］を一水平走査期間Ｈずつ順次アクティブレベルとする。この内部水平同期信号ＨＳはイネーブル信号ＥＮ１およびＥＮ２とともにフレキシブル回路基板３００を介して駆動用集積回路２００から供給される。
【００４２】
イネーブル信号ＥＮ１およびＥＮ２がいずれもアクティブレベルである場合、走査線駆動回路２２が出力する走査信号Ｇ［１］〜Ｇ［Ｍ］はＡＮＤゲート２３［１］〜２３［Ｍ］を各々介してＭ本の走査線１２に出力される。従って、Ｍ本の走査線１２が順次選択される。
【００４３】
これに対し、イネーブル信号ＥＮ１がアクティブレベル、イネーブル信号ＥＮ２が非アクティブレベルである場合、奇数番目の走査線１２に対してのみ走査信号Ｇ［ｍ］（ｍ）（ｍは奇数）が出力される。また、イネーブル信号ＥＮ１が非アクティブレベル、イネーブル信号ＥＮ２がアクティブレベルである場合、偶数番目の走査線１２に対してのみ走査信号Ｇ［ｍ］（ｍ）（ｍは偶数）が出力される。これらの場合は、走査線１２が1本おきに順次選択される。
【００４４】
ここで、第ｍ行に対応した走査信号Ｇ［ｍ］がアクティブレベルであり、当該行に対応した走査線が選択されている期間は、第ｍ行のＮ個の画素回路ＰＩＸの各選択スイッチ４４がＯＮ状態となり、これらの選択スイッチ４４を各々介してＮ本の信号線１４が第ｍ行のＮ個の画素回路ＰＩＸの各画素電極４２１に各々接続される。
【００４５】
画素部１０内のＮ本の信号線１４は、相隣接するＫ本（Ｋは２以上の自然数）を単位としてＪ個の配線ブロックＢ［１］〜Ｂ［Ｊ］に区分されている（Ｊ＝Ｎ／Ｋ）。デマルチプレクサー５７[１１]〜５７[Ｊ]は、このＪ個の配線ブロックＢ［１］〜Ｂ［Ｊ］に各々対応している。
【００４６】
デマルチプレクサー５７［ｊ］（ｊ＝１〜Ｊ）の各々は、Ｋ個のスイッチ５８［１］〜５８［Ｋ］により構成されている。デマルチプレクサー５７［ｊ］（ｊ＝１〜Ｊ）の各々において、Ｋ個のスイッチ５４［１］〜５４［Ｋ］の各々の一方の接点は共通接続されている。そして、デマルチプレクサー５７［ｊ］（ｊ＝１〜Ｊ）の各々のＫ個のスイッチ５４［１］〜５４［Ｋ］の一方の接点の共通接続点は、Ｊ本の信号線１５に各々接続されている。このＪ本の信号線１５は、フレキシブル回路基板３００を介して駆動用集積回路２００に接続されている。また、デマルチプレクサー５７［ｊ］（ｊ＝１〜Ｊ）の各々において、Ｋ個のスイッチ５４［１］〜５４［Ｋ］の各々の他方の接点は、当該デマルチプレクサー５７［ｊ］に対応した配線ブロックＢ［ｊ］を構成するＫ本の信号線１４に各々接続されている。
【００４７】
各デマルチプレクサー５７［ｊ］（ｊ＝１〜Ｊ）のＫ個のスイッチ５８［１］〜５８［Ｋ］のＯＮ／ＯＦＦは、Ｋ個の選択信号ＳＥＬｂ［１］〜ＳＥＬｂ［Ｋ］により各々切り換えられる。このＫ個の選択信号ＳＥＬｂ［１］〜ＳＥＬｂ［Ｋ］は、フレキシブル回路基板３００を介して駆動用集積回路２００から供給される。ここで、例えば１個の選択信号ＳＥＬｂ［ｋ］がアクティブレベル、他のＫ−１個の選択信号ＳＥＬｂ［ｋ’］（ｋ’≠ｋ）が非アクティブレベルである場合には、デマルチプレクサー５７［ｊ］（ｊ＝１〜Ｊ）に各々属するＪ個のスイッチ５８［ｋ］のみがＯＮとなる。従って、デマルチプレクサー５７［ｊ］（ｊ＝１〜Ｊ）の各々は、Ｊ本の信号線１５上の信号線駆動信号Ｃ［１］〜Ｃ［Ｊ］を各配線ブロックＢ[１]〜Ｂ[Ｊ]のｋ番目の信号線１４に各々出力する。
以上が電気光学装置１００の構成である。
【００４８】
図５は駆動用集積回路２００の構成を示すブロック図である。なお、この図では、駆動用集積回路２００の役割の理解を容易にするため、フレキシブル回路基板３００を介して駆動用集積回路２００と接続されたホストＣＰＵ４００が図示されている。
【００４９】
図５に示すように、駆動用集積回路２００は、信号線駆動回路２４と、制御回路３０と、レシーバー部６０とを有する。上述したように、電気光学装置１００の画素部１０内のＮ本の信号線１４は、Ｊ個の配線ブロックＢ［１］〜Ｂ［Ｊ］に区分されている。駆動用集積回路２００内の信号線駆動回路２４には、このＪ個の配線ブロックＢ［１］〜Ｂ［Ｊ］に各々対応付けて、Ｊ個の駆動電圧発生回路５６［１］〜５６［Ｊ］と、Ｊ個のマルチプレクサー５３［１］〜５３［Ｊ］とが設けられている。また、信号線駆動回路２４には、画像信号記憶部５１が設けられている。この画像信号記憶部５１は、１ラインを構成するＮ画素分のデジタル形式の画像信号ＶＩＤを各々記憶するＮ個のレジスター（図示略）を含む。このＮ個のレジスターは、Ｊ個の配線ブロックＢ［１］〜Ｂ［Ｊ］に対応付けて、各々Ｋ（＝Ｎ／Ｊ）個のレジスターからなるレジスターブロック５２［１］〜５２[Ｊ]に区分されている。
【００５０】
マルチプレクサー５３［ｊ］（ｊ＝１〜Ｊ）の各々は、Ｋ個のスイッチ５４［１］〜５４［Ｋ］により構成されている。ここで、ｊ番目の配線ブロックＢ［ｊ］に対応した１個のマルチプレクサー５３［ｊ］に着目すると、Ｋ個のスイッチ５４［１］〜５４［Ｋ］の各々の一方の接点には、ｊ番目のレジスターブロック５２［ｊ］に記憶されたＫ画素分の画像信号の各々がＫ本の信号線１７を各々介して供給される。また、このＫ個のスイッチ５４［１］〜５４［Ｋ］の各々の他方の接点は、１本の信号線１６に共通接続され、同信号線１６を介してｊ番目の駆動電圧発生回路５６［ｊ］の入力端子に接続されている。
【００５１】
各マルチプレクサー５３［ｊ］（ｊ＝１〜Ｊ）のＫ個のスイッチ５４［１］〜５４［Ｋ］のＯＮ／ＯＦＦは、制御回路３０が出力するＫ個の選択信号ＳＥＬａ［１］〜ＳＥＬａ［Ｋ］により各々切り換えられる。ここで、１個の選択信号ＳＥＬａ［ｋ］がアクティブレベル、他のＫ−１個の選択信号ＳＥＬａ［ｋ’］（ｋ’≠ｋ）が非アクティブレベルである場合には、マルチプレクサー５３［ｊ］（ｊ＝１〜Ｊ）に各々属するＪ個のスイッチ５４［ｋ］のみがＯＮとなる。従って、マルチプレクサー５３［ｊ］（ｊ＝１〜Ｊ）の各々は、各々に対応するレジスターブロック５２［ｊ］に記憶された水平方向Ｋ画素分の画像信号のうちｋ番目の画素の画像信号を画像信号Ｄ［ｊ］として選択し、信号線１６を介して各々に対応した駆動電圧発生回路５６［ｊ］に供給する。
【００５２】
駆動電圧発生回路５６［１］〜５６［Ｊ］は、プリチャージ電圧を発生する機能と、信号線１６を介して供給される画像信号Ｄ［１］〜Ｄ［Ｊ］に各々対応した階調電圧を発生する機能とを有する。駆動電圧発生回路５６［１］〜５６［Ｊ］は、一水平走査期間Ｈをプリチャージ期間ＴＰＲＥと書込期間ＴＷＲＴとに分け、プリチャージ期間ＴＰＲＥはプリチャージ電圧を、書込期間ＴＷＲＴは画像信号Ｄ［１］〜Ｄ［Ｊ］に応じた階調電圧を信号線駆動信号Ｃ［１］〜Ｃ［Ｊ］としてＪ本の信号線１５に各々出力する。このＪ本の信号線１５は、フレキシブル回路基板３００上に形成されており、上述した電気光学装置１００内のデマルチプレクサー５７[１１]〜５７[Ｊ]の入力端子に各々接続されている。
【００５３】
レシーバー部６０は、ホストＣＰＵ４００から差動シリアルインターフェイスを介して画像信号および各種の制御信号を受信し、制御回路３０に引き渡す回路である。制御回路３０は、レシーバー部６０の受信信号に基づいて、信号線駆動回路２４および電気光学装置１００内の各回路の制御を行う回路である。
【００５４】
図６はレシーバー部６０と制御回路３０の構成を示すブロック図である。レシーバー部６０は、各々差動増幅器により構成された３種類のレシーバー６１、６２および６３を有している。本実施形態において、ホストＣＰＵ４００（図５参照）は、各色に対応した電気光学装置１００の駆動用集積回路２００に対して、差動形式の画素クロックＰＣＬＫを供給するとともに、この画素クロックＰＣＬＫに同期して、差動形式の画像信号ＧＤと差動形式の時間多重制御信号ＣＤを供給する。駆動用集積回路２００では、レシーバー６１が差動形式の画素クロックＰＣＬＫを、レシーバー６２が差動形式の画像信号ＧＤを、レシーバー６３が差動形式の時間多重制御信号ＧＤを各々受信する。
【００５５】
制御回路３０は、画像信号受信部３１と、受信バッファー３２と、駆動制御部３３と、パターンジェネレーター３５とを有する。パターンジェネレーター３５は、水平走査期間Ｈをプリチャージ期間ＴＰＲＥと書込期間ＴＷＲＴとに分け、期間毎に異なった態様で、選択信号ＳＥＬａ［１］〜ＳＥＬａ［Ｋ］および選択信号ＳＥＬｂ［１］〜ＳＥＬｂ［Ｋ］の切り換え制御を行う回路である。
【００５６】
各水平走査期間Ｈのプリチャージ期間ＴＰＲＥにおいて、パターンジェネレーター３５は、選択信号ＳＥＬａ［１］〜ＳＥＬａ［Ｋ］を非アクティブレベル（Ｌレベル）、選択信号ＳＥＬｂ［１］〜ＳＥＬｂ［Ｋ］をアクティブレベル（Ｈレベル）とする。
【００５７】
また、各水平走査期間Ｈの書込期間ＴＷＲＴにおいて、パターンジェネレーター３５は、配線ブロックＢ［１］〜Ｂ［Ｊ］の各々のＫ本の信号線１４への階調電圧の印加を順次行わせるための選択信号ＳＥＬａ［１］〜ＳＥＬａ［Ｋ］および選択信号ＳＥＬｂ［１］〜ＳＥＬｂ［Ｋ］の切り換え制御を行う。
【００５８】
この書込期間ＴＷＲＴ内における選択信号の切換制御を可能にするため、パターンジェネレーター３５は、例えばＫ種類を選択パターンデータを記憶している。図７はこのＫ種類の選択パターンデータの内容を例示するものである。Ｋ種類の選択パターンデータには、０からＫ−１までのパターン番号ＰＮが各々対応付けられている。
【００５９】
個々の選択パターンデータは、書込期間ＴＷＲＴにおいて配線ブロックＢ［１］〜Ｂ［Ｋ］の各々を構成するＫ本の信号線１４への階調電圧の印加順序を指定するデータである。例えばパターン番号ＰＮ＝「０」に対応した選択パターンデータは、書込期間ＴＷＲＴ内の最初の階調電圧印加期間Ｕ［１］に各配線ブロックの１番目の信号線１４への階調電圧の印加を、２番目の階調電圧印加期間Ｕ［２］に２番目の信号線１４への階調電圧の印加を、…、最後の階調電圧印加期間Ｕ［Ｋ］にＫ番目の信号線１４への階調電圧の印加を行うことを指示している。また、パターン番号ＰＮ＝「１」に対応した選択パターンデータは、書込期間ＴＷＲＴ内の最初の階調電圧印加期間Ｕ［１］に各配線ブロックのＫ番目の信号線１４への階調電圧の印加を、２番目の階調電圧印加期間Ｕ［２］に１番目の信号線１４への階調電圧の印加を、…、最後の階調電圧印加期間Ｕ［Ｋ］にＫ−１番目の信号線１４への階調電圧の印加を行うことを指示している。
【００６０】
パターンジェネレーター３５は、各水平走査期間Ｈの書込期間ＴＷＲＴにおいて、駆動制御部３３から与えられるパターン番号ＰＮに対応した選択パターンデータに従って、選択信号ＳＥＬａ［１］〜ＳＥＬａ［Ｋ］および選択信号ＳＥＬｂ［１］〜ＳＥＬｂ［Ｋ］を変化させる。
【００６１】
駆動制御部３３は、パターンジェネレーター３５に対して与えるパターン番号ＰＮを例えば内部水平同期信号ＨＳおよび内部垂直同期信号ＶＳの発生に同期して周期的に更新する。
【００６２】
図６において、画像信号受信部３１は、駆動制御部３３による制御の下、レシーバー６２が受信した画像信号ＧＤをレシーバー６１が受信した画素クロックＰＣＬＫの立ち上がりエッジおよび立ち下がりエッジの各々によりサンプリングし、画像信号ＶＩＤとして画像信号記憶部５１（図５参照）へ出力する。受信バッファー３２は、レシーバー６３が受信した時間多重制御信号ＣＤをレシーバー６１が受信した画素クロックＰＣＬＫの立ち上がりエッジによりサンプリングし、サンプリングした時間多重制御信号ＣＤのビット列を過去所定ビット数だけ記憶するバッファーである。
【００６３】
駆動制御部３３は、同期信号検知部３０１と、コマンド検知部３０２と、駆動条件レジスター部３０３とを有する。駆動条件レジスター部３０３は、電気光学装置１００に関する各種の駆動条件を示すデータを記憶する複数の駆動条件レジスターの集合体である。駆動制御部３３は、この駆動条件レジスター部３０３内の各駆動条件レジスターの記憶内容が示す駆動条件に従って電気光学装置１００および信号線駆動回路２４の駆動制御を行う。
【００６４】
同期信号検知部３０１およびコマンド検知部３０２は、受信バッファー３２に格納される時間多重制御信号のビット列を監視し、監視結果に基づいて動作する回路である。ここで、ホストＣＰＵ４００が駆動用集積回路２００に供給する時間多重制御信号は、電気光学装置１００の駆動制御のための垂直同期信号ＶＳＹＮＣ、水平同期信号ＨＳＹＮＣといった同期信号を示すビット列と、その他の駆動制御のためのコマンドを示すビット列とを時間多重した信号である。垂直同期信号ＶＳＹＮＣを示すビット列、水平同期信号ＨＳＹＮＣを示すビット列、各種のコマンドを示すビット列は、互いに非同一の関係にある。
【００６５】
同期信号検知部３０１は、受信バッファー３２に垂直同期信号ＶＳＹＮＣを示すビット列が格納されたのを検知したときに内部垂直同期信号ＶＳを出力する。また、同期信号検知部３０１は、受信バッファー３２に水平同期信号ＨＳＹＮＣを示すビット列が格納されたのを検知したときに内部水平同期信号ＨＳを出力する。
【００６６】
駆動制御部３３は、同期信号検知部３０１が内部水平同期信号ＨＳを出力する都度、画像信号受信部３１に画素クロックＰＣＬＫの立ち上がりエッジおよび立ち下がりエッジに同期した画像信号ＧＤの取り込みを開始させ、１ライン分（Ｎ画素分）の各画素の画像信号ＶＩＤの画像信号記憶部５１への転送を行わせる。画像信号記憶部５１では、このＮ画素分の画像信号ＶＩＤが各々Ｋ画素分の画像信号からなるＪ個のブロックに区分され、上述したレジスターブロック５２［１］〜５２［Ｊ］に各々格納される。
【００６７】
コマンド検知部３０２は、受信バッファー３２に何らかのコマンドを示すビット列が格納されたか否かの監視を行う。ここで、１つのコマンドは、駆動条件の種類を示す情報、具体的には駆動条件レジスター部３０３におけるいずれかの駆動条件レジスターを指定するアドレスと、駆動条件の内容を示す情報、具体的にはそのアドレスにより指定された駆動条件レジスターに格納すべきデータとにより構成されている。コマンド検知部３０２は、駆動条件レジスター部３０３のいずれかの駆動条件レジスターのアドレスを示すビット列とそれに続くデータのビット列が受信バッファー３２に格納されたのを検知したとき、その検知したデータを受信バッファー３２から読み出し、検知したアドレスにより指定された駆動条件レジスター部３０３内の駆動条件レジスターに書き込む。
【００６８】
時間多重制御信号の一部としてホストＣＰＵ４００から供給されるコマンドの中には、コマンド検知部３０２により検知されて駆動条件レジスター部３０３に格納された後、直ちに実行される即時実行コマンドの他に、駆動条件レジスター部３０３への格納後に発生する最初の内部水平同期信号ＨＳに同期して実行される水平同期実行コマンドと、駆動条件レジスター部３０３への格納後に発生する最初の内部垂直同期信号ＶＳに同期して実行される垂直同期実行コマンドとが含まれる。
【００６９】
水平同期実行コマンドの例として、上述したイネーブル信号ＥＮ１およびＥＮ２の発生を指令するコマンドがある。このコマンドは、発生させるイネーブル信号の種別を示すデータを含む。駆動制御部３３は、このコマンドが検知され、このコマンドのデータが駆動条件レジスター部３０３に格納された場合、その直後の内部水平同期信号ＨＳから始まる各水平走査周期において、駆動条件レジスター部３０３に格納された当該コマンドのデータに従い、イネーブル信号ＥＮ１およびＥＮ２の一方または両方を発生する。
【００７０】
垂直同期実行コマンドの例として、階調反転表示、上下反転表示、左右反転表示といった電気光学装置１００の表示態様を指示するコマンドがある。このコマンドは、表示態様を指定するデータを含む。駆動制御部３３は、このコマンドがコマンド検知部３０２により検知され、このコマンドのデータが駆動条件レジスター部３０３に格納された場合、その直後の内部垂直同期信号ＶＳから始まる各垂直走査周期において、駆動条件レジスター部３０３に格納された当該コマンドのデータに従い、電気光学装置１００の表示制御を行う。
【００７１】
例えば階調反転表示を指示するデータが駆動条件レジスター部３０３に設定された場合、駆動制御部３３は、その直後の内部垂直同期信号ＶＳから始まる各垂直走査周期において、駆動電圧発生回路５６［１］〜５６［Ｊ］に対して供給する階調反転指示信号ＩＮＶ１をアクティブレベルとする。これにより駆動電圧発生回路５６［１］〜５６［Ｊ］は、書込期間ＴＷＲＴにおいて、画像信号により指定される階調を反転させた階調に対応した階調電圧を出力する。これにより階調反転表示が実現される。
【００７２】
また、上下反転表示を指示するデータが駆動条件レジスター部３０３に設定された場合、駆動制御部３３は、その直後の内部垂直同期信号ＶＳから始まる各垂直走査周期において、電気光学装置１００の走査線駆動回路２２に対して与える上下反転指示信号ＩＮＶ２をアクティブレベルとする。これにより走査線駆動回路２２は、Ｍ本の走査線１２を通常とは逆の順序で選択する。これにより上下反転表示が実現される。
【００７３】
また、左右反転表示を指示するデータが駆動条件レジスター部３０３に設定された場合、駆動制御部３３は、その直後の内部垂直同期信号ＶＳから始まる各垂直走査周期において、画像信号記憶部５１に与える左右反転指示信号ＩＮＶ３をアクティブレベルとする。これにより画像信号記憶部５１は、水平走査期間の最初の画素の画像信号ＶＩＤを走査線上の画素列における最後の画素に対応付けられたレジスターに書き込み、水平走査期間の２番目の画素の画像信号ＶＩＤを走査線上の画素列における最後から２番目の画素に対応付けられたレジスターに書き込み、…という具合に、各画素の画像信号ＶＩＤを、水平方向における並びを逆にして、画像信号記憶部５１内の該当する各レジスターに書き込む。これにより左右反転表示が実現される。
【００７４】
また、垂直同期実行コマンドの他の例として、階調電圧の極性を指示する極性指示コマンドがある。この極性指示コマンドは、階調電圧の極性を指示するデータを含む。駆動制御部３３は、この極性指示コマンドが検知され、そのデータが駆動条件レジスター部３０３に格納された場合、その直後の内部垂直同期信号ＶＳから始まる垂直走査周期において、駆動制御部３３は、駆動条件レジスター部３０３に格納された当該極性指示コマンドのデータに対応した極性信号ＰＯＬを電気光学装置１００に供給する。
【００７５】
また、垂直同期実行コマンドの他の例として、駆動条件の周期的な更新制御の同期化、具体的には階調電圧の印加順序の周期的な更新制御の同期化を指示する同期化コマンドがある。この同期化コマンドは、パターン番号ＰＮの初期値をデータとして含む。駆動制御部３３は、この同期化コマンドが検知されて駆動条件レジスター部３０３にそのデータが格納された場合、その直後の内部垂直同期信号ＶＳから始まる垂直走査周期において、パターンジェネレーター３５に供給するパターン番号ＰＮを駆動条件レジスター部３０３に格納された当該同期化コマンドのデータに初期化する。以後、駆動制御部３３は、この初期値から、内部水平同期信号ＨＳまたは内部垂直同期信号ＶＳに同期して周期的にパターン番号ＰＮを更新する。
以上が制御回路３０の構成である。
【００７６】
図８は電気光学装置１００の動作例を示すタイムチャートである。図８には、ある垂直走査期間Ｖ１内における各部の波形と、その次の垂直走査期間Ｖ２内の各部の波形が例示されている。図８に示す例において、駆動用集積回路２００から供給される極性信号ＰＯＬは、垂直走査期間Ｖ１では負極性（−）を指示しており、垂直走査期間Ｖ２では正極性（＋）を指示している。ここで、極性信号ＰＯＬが負極性（−）を指示する垂直走査期間Ｖ１では、正の電圧が上述した共通電極４２３に印加され、極性信号ＰＯＬが正極性（＋）を指示する垂直走査期間Ｖ２では、負の電圧が上述した共通電極４２３に印加される。
【００７７】
上下反転指示信号ＩＮＶ２が非アクティブレベルの場合、走査線駆動回路２２は、各垂直走査期間において、制御回路３０の駆動制御部３３が内部水平同期信号ＨＳを発生するのに同期して、Ｍ本の走査線１２を通常の順序で順次選択し、選択した走査線１２に対応した走査信号Ｇ［ｊ］を一水平走査期間Ｈに亙ってアクティブレベルであるＨレベルとする。一方、上下反転指示信号ＩＮＶ２がアクティブレベルの場合、走査線駆動回路２２は、各垂直走査期間において、Ｍ本の走査線１２を通常の順序とは逆の順序で順次選択する。
【００７８】
各水平走査期間Ｈのプリチャージ期間ＴＰＲＥにおいて、制御回路３０のパターンジェネレーター３５は、選択信号ＳＥＬａ［１］〜ＳＥＬａ［Ｋ］を全てＬレベルとして、マルチプレクサー５３［１］〜５３［Ｊ］の全てのスイッチ５４［１］〜５４［Ｋ］をＯＦＦにするとともに、選択信号ＳＥＬｂ［１］〜ＳＥＬｂ［Ｋ］を全てＨレベルとして、デマルチプレクサー５７［１］〜５７［Ｊ］の全てのスイッチ５８［１］〜５８［Ｋ］をＯＮにする。また、各水平走査期間Ｈのプリチャージ期間ＴＰＲＥにおいて、駆動電圧発生回路５６［１］〜５６［Ｊ］は、極性信号ＰＯＬが示す極性のプリチャージ電圧を出力する。１個の駆動電圧発生回路５６［ｊ］が出力したプリチャージ電圧はデマルチプレクサー５７［ｊ］のＫ個のスイッチ５８［１］〜５８［Ｊ］を各々介して配線ブロックＢ［ｊ］のＫ本の信号線１４に印加される。従って、プリチャージ期間ＴＰＲＥにおいて、画素部１０の全ての信号線１４にプリチャージ電圧が印加される。
【００７９】
各水平走査期間Ｈの書込期間ＴＷＲＴにおいて、パターンジェネレーター３５は、その時点におけるパターン番号ＰＮに対応した選択パターンデータに従って選択信号ＳＥＬａ［１］〜ＳＥＬａ［Ｋ］および選択信号ＳＥＬｂ［１］〜ＳＥＬｂ［Ｋ］を変化させる。
【００８０】
図８の下段左側には、垂直走査期間Ｖ１のある水平走査期間Ｈ（例えば垂直走査期間Ｖ１内のｍ番目の水平走査期間Ｈとする。）内に発生する選択信号ＳＥＬａ［１］〜ＳＥＬａ［Ｋ］および選択信号ＳＥＬｂ［１］〜ＳＥＬｂ［Ｋ］の波形が例示されている。この例では、階調電圧印加期間Ｕ［１］において、選択信号ＳＥＬａ［１］およびＳＥＬｂ［１］の組のみがＨレベルとされ、マルチプレクサー５３［１］〜５３［Ｊ］におけるスイッチ５４［１］と、デマルチプレクサー５７［１］〜５７［Ｊ］におけるスイッチ５８［１］がＯＮになる。この結果、レジスターブロック５２［１］〜５２［Ｊ］の各々における１番目の画素の画像信号ＶＩＤがマルチプレクサー５３［１］〜５３［Ｊ］のスイッチ５４［１］を各々通過し、画像信号Ｄ［１］〜Ｄ［Ｊ］として駆動電圧発生回路５６［１］〜５６［Ｊ］に各々供給される。この時点において、極性信号ＰＯＬは負極性（−）を指示している。従って、駆動電圧発生回路５６［１］〜５６［Ｊ］は、例えば階調反転指示信号ＩＮＶ１が非アクティブレベルの場合、基準電位ＶＲＥＦに対して負極性の範囲で、各々に供給される画像信号Ｄ［１］〜Ｄ［Ｊ］の指定階調に応じた階調電圧ＶＧを各々出力する。駆動電圧発生回路５６［１］〜５６［Ｊ］が各々出力する階調電圧ＶＧは、デマルチプレクサー５７［１］〜５７［Ｊ］におけるスイッチ５８［１］を各々通過し、信号線駆動信号Ｃ［１］〜Ｃ［Ｊ］として配線ブロックＢ［１］〜Ｂ［Ｊ］の各々の１番目の信号線１４に印加される。
【００８１】
階調電圧印加期間Ｕ［２］では、選択信号ＳＥＬａ［２］およびＳＥＬｂ［２］の組のみがＨレベルとされ、マルチプレクサー５３［１］〜５３［Ｊ］におけるスイッチ５４［２］と、デマルチプレクサー５７［１］〜５７［Ｊ］におけるスイッチ５８［２］がＯＮになる。この結果、レジスターブロック５２［１］〜５２［Ｊ］の各々における２番目の画素の画像信号ＶＩＤに応じた各階調電圧ＶＧが発生され、デマルチプレクサー５７［１］〜５７［Ｊ］におけるスイッチ５８［２］を各々通過し、信号線駆動信号Ｃ［１］〜Ｃ［Ｊ］として配線ブロックＢ［１］〜Ｂ［Ｊ］の各々の２番目の信号線１４に印加される。
【００８２】
以下、同様であり、階調電圧印加期間Ｕ［３］では各レジスターブロックにおける３番目の画素の画像信号に応じた各階調電圧ＶＧが各配線ブロックの３番目の信号線１４に印加され、階調電圧印加期間Ｕ［４］では各レジスターブロックにおける４番目の画素の画像信号に応じた各階調電圧ＶＧが各配線ブロックの４番目の信号線１４に印加され、…、最後の階調電圧印加期間Ｕ［Ｋ］では各レジスターブロックにおけるＫ番目の画素の画像信号に応じた各階調電圧ＶＧが各配線ブロックのＫ番目の信号線１４に印加される。
以上が垂直走査期間Ｖ１のｍ番目の水平走査期間Ｈ内における各部の動作である。
【００８３】
図８の下段右側には、垂直走査期間Ｖ１の次の垂直走査期間Ｖ２の同じ水平走査期間Ｈ（すなわち、垂直走査期間Ｖ２内のｍ番目の水平走査期間Ｈ）内に発生する選択信号ＳＥＬａ［１］〜ＳＥＬａ［Ｋ］および選択信号ＳＥＬｂ［１］〜ＳＥＬｂ［Ｋ］の波形が示されている。
【００８４】
この例では、垂直走査期間Ｖ２におけるｍ番目の水平走査期間Ｈにパターンジェネレーター３５に与えられるパターン番号ＰＮは、垂直走査期間Ｖ１におけるｍ番目の水平走査期間Ｈにパターンジェネレーター３５に与えられるパターン番号ＰＮと異なったものとなる。このため、垂直走査期間Ｖ２のｍ番目の水平走査期間Ｈの書込期間ＴＷＲＴでは、垂直走査期間Ｖ１のｍ番目の水平走査期間Ｈの書込期間ＴＷＲＴとは異なった順序で、各配線ブロックのＫ本の信号線１４への階調電圧の印加が行われる。
【００８５】
図８の下段右側に示す例では、書込期間ＴＷＲＴの階調電圧印加期間Ｕ［１］では、各レジスターブロックにおけるＫ番目の画素の画像信号に応じた各階調電圧ＶＧが各配線ブロックのＫ番目の信号線１４に印加され、階調電圧印加期間Ｕ［２］では各レジスターブロックにおける１番目の画素の画像信号に応じた各階調電圧ＶＧが各配線ブロックの１番目の信号線１４に印加され、…、最後の階調電圧印加期間Ｕ［Ｋ］では各レジスターブロックにおけるＫ−１番目の画素の画像信号に応じた各階調電圧ＶＧが各配線ブロックのＫ−１番目の信号線１４に印加される。
【００８６】
なお、垂直走査期間Ｖ２においては、極性信号ＰＯＬは正極性（＋）を指示しているので、駆動電圧発生回路５６［１］〜５６［Ｊ］は、基準電位ＶＲＥＦに対して正極性の範囲で、各々に供給される画像信号の指定階調に応じた階調電圧ＶＧを各々出力する。
【００８７】
以上のように、垂直走査期間Ｖ１のｍ番目の水平走査期間Ｈと垂直走査期間Ｖ２のｍ番目の水平走査期間Ｈとでは、異なる順序で、各配線ブロックのＫ本の信号線１４への階調電圧の印加が行われる。このように本実施形態において各配線ブロックのＫ本の信号線１４への階調電圧の印加の順序は、垂直走査期間の切り換わりに応じて変更されるが、それだけでなく、水平走査期間Ｈの切り換わりに応じて変更される。図９は、各配線ブロック内のＫ本の信号線１４への階調電圧の印加順序の変化の様子を例示するものである。図９において、縦方向は水平走査期間Ｈの遷移方向に対応しており、横方向は水平走査期間Ｈ内に発生するＫ個の階調電圧印加期間Ｕ［１］〜Ｕ［Ｋ］の並びに対応している。図９に示す例では、同一の垂直走査周期内において、配線ブロック内の各信号線１４に階調電圧の印加が行われる順序は、水平走査期間Ｈが切り換わる毎に１番ずつ後方へローテートシフトされる。また、図９に示す例において、各垂直走査期間内の同一水平走査期間Ｈに着目すると、配線ブロック内の各信号線１４に階調電圧の印加が行われる順序は、垂直走査期間が切り換わる毎に１番ずつ後方へローテートシフトされる。
【００８８】
従って、複数の水平走査期間および複数の垂直走査期間を通じて見た場合に、各信号線１４間で、一水平走査期間内における階調電圧の印加順序の時間平均値が均一化される。従って、電気光学装置単体として見た場合、表示ムラが軽減される。
【００８９】
図１０は、本実施形態においてホストＣＰＵ４００から駆動用集積回路２００へ送られる各種の信号の波形を示すタイムチャートである。また、図１１は、本実施形態においてホストＣＰＵ４００から駆動用集積回路２００へ水平同期信号ＨＳＹＮＣおよびコマンドが送られる様子を示すタイムチャートである。以下、これらの図を参照し、本実施形態の動作を説明する。
【００９０】
本実施形態において、ホストＣＰＵ４００から駆動用集積回路２００に時間多重制御信号ＣＤの一部として供給される各種の制御信号は、２４ビットのビット長を各々有している。ホストＣＰＵ４００は、駆動用集積回路２００に供給すべき制御信号がある場合に、この制御信号を構成する２４ビットのデジタル信号を画素クロックＰＣＬＫに同期させて駆動用集積回路２００に送信する。
【００９１】
図１０（ａ）に示すように、水平同期信号ＨＳＹＮＣは、２２ビットの連続した“１”と、その後に続く２ビットの“０”とからなるデジタル信号である。また、垂直同期信号ＶＳＹＮＣは、２３ビットの連続した“１”と、その後に続く１ビットの“０”とからなるデジタル信号である。
【００９２】
水平同期信号ＨＳＹＮＣである２４ビットのデジタル信号がホストＣＰＵ４００から時間多重制御信号ＣＤの一部として駆動用集積回路２００に送信されると、この水平同期信号ＨＳＹＮＣは駆動用集積回路２００の受信バッファー３２に格納される。同期信号検知部３０１は、この受信バッファー３２内の２４ビットの水平同期信号ＨＳＹＮＣを検知し、その後の画素クロックＰＣＬＫの立ち上がりエッジ、すなわち、水平同期信号ＨＳＹＮＣの先頭ビットに同期した画素クロックＰＣＬＫから数えて２５番目の画素クロックＰＣＬＫの立ち上がりエッジに同期して、画素クロックＰＣＬＫの１周期分のパルス幅を持った内部水平同期信号ＨＳを出力する。
【００９３】
同様に、垂直同期信号ＶＳＹＮＣである２４ビットのデジタル信号がホストＣＰＵ４００から駆動用集積回路２００に送信されると、この垂直同期信号ＶＳＹＮＣは駆動用集積回路２００の受信バッファー３２に格納される。同期信号検知部３０１は、この受信バッファー３２内の２４ビットの垂直同期信号ＨＳＹＮＣを検知し、その後の画素クロックＰＣＬＫの立ち上がりエッジに同期して、画素クロックＰＣＬＫの１周期分のパルス幅を持った内部垂直同期信号ＶＳを出力する。
【００９４】
図１０（ｂ）には水平同期信号ＨＳＹＮＣの送信後に行われる画像信号ＧＤの送信の様子が示されている。ホストＣＰＵ４００は、２４個の画素クロックＰＣＬＫに同期させて２４ビットの水平同期信号ＨＳＹＮＣを送信した後、この水平同期信号ＨＳＹＮＣの送信開始タイミングから数えて２６番目の画素クロックＰＣＬＫの立ち上がりエッジから一水平走査期間分の画像信号ＧＤの送信を開始する。さらに詳述すると、ホストＣＰＵ４００は、２６番目の画素クロックＰＣＬＫの立ち上がりエッジを跨ぐ期間を利用して最初の画素の画像信号ＧＤを送信し、２６番目の画素クロックＰＣＬＫの立ち下がりエッジを跨ぐ期間を利用して２番目の画素の画像信号ＧＤを送信し、２７番目の画素クロックＰＣＬＫの立ち上がりエッジを跨ぐ期間を利用して３番目の画素の画像信号ＧＤを送信し、…という具合に、画素クロックＰＣＬＫの立ち上がりエッジおよび立ち下がりエッジの両方に同期させて、一水平走査期間内に駆動すべき各画素の画像信号ＧＤを送信する。
【００９５】
駆動用集積回路２００において、画像信号受信部３１は、駆動制御部３３が内部水平同期信号ＨＳを発生した後の最初の画素クロックＰＣＬＫの立ち上がりエッジから画像信号ＧＤの取り込みを開始する。そして、画像信号受信部３１は、取り込んだ画像信号ＧＤを画像信号ＶＩＤとして画像信号記憶部５１に供給する。左右反転指示信号ＩＮＶ３が非アクティブレベルの場合、画像信号記憶部５１は、画像信号受信部３１から供給される１ライン分の各画素の画像信号ＶＩＤをレジスターブロック５２［１］〜５２［Ｊ］に通常の並び順に従って格納する。一方、左右反転指示信号ＩＮＶ３がアクティブレベルの場合、画像信号記憶部５１は、画像信号受信部３１から供給される１ライン分の各画素の画像信号ＶＩＤをレジスターブロック５２［１］〜５２［Ｊ］に通常の並び順とは逆の並び順に従って格納する。駆動用集積回路２００では、このようにして画像信号記憶部５１のレジスターブロック５２［１］〜５２［Ｊ］に格納された画像信号を用いて電気光学装置１００の駆動制御が行われる。
【００９６】
また、図１１に示すように、ホストＣＰＵ４００から駆動用集積回路２００に送られる時間多重制御信号ＣＤは、各種のコマンドを示す２４ビットのデジタル信号を含む。この２４ビットのデジタル信号がホストＣＰＵ４００から駆動用集積回路２００に送信されると、このコマンドを示すデジタル信号は駆動用集積回路２００の受信バッファー３２に格納される。コマンド検知部３０２は、この受信バッファー３２内の２４ビットのコマンドを検知すると、その後の画素クロックＰＣＬＫの立ち上がりエッジ、すなわち、コマンドの先頭ビットに同期した画素クロックＰＣＬＫから数えて２５番目の画素クロックＰＣＬＫの立ち上がりエッジに同期して、コマンドのデータをコマンドのアドレスが示す駆動条件レジスター部３０３内の駆動条件レジスターに格納する。これにより駆動用集積回路２００では、時間多重制御信号から抽出されたコマンドに従った駆動制御が行われる。
【００９７】
以上説明したように、本実施形態によれば、駆動用集積回路２００に対する制御信号を差動形式の信号とすることができるので、ノイズ耐性の向上、駆動用集積回路２００での取り込みミスの低減、転送速度の向上を図ることができる。また、複数種類の制御信号を時間多重した信号を駆動用集積回路２００に供給すればよいので、駆動用集積回路２００に対して信号を伝送するための信号線数の低減、駆動用集積回路の端子数の低減が可能になる。
【００９８】
また、本実施形態によれば、駆動用集積回路２００は、垂直同期信号ＶＳＹＮＣおよび水平同期信号ＨＳＹＮＣを時間多重制御信号ＣＤから抽出することができる。従って、本実施形態によれば、時間多重制御信号ＣＤを供給するホストＣＰＵ４００が駆動用集積回路２００によって行われる電気光学装置１００の駆動制御を水平同期信号ＨＳＹＮＣおよび垂直同期信号ＶＳＹＮＣに同期化させることができる。また、本実施形態では、水平同期信号ＨＳＹＮＣおよび垂直同期信号ＶＳＹＮＣが差動形式の信号として駆動用集積回路２００に伝送され、駆動用集積回路２００では、差動増幅器であるレシーバー６３がこの差動形式の水平同期信号ＨＳＹＮＣおよび垂直同期信号ＶＳＹＮＣを受信する。従って、伝送過程において水平同期信号ＨＳＹＮＣまたは垂直同期信号ＶＳＹＮＣにノイズが重畳したとしても、駆動用集積回路２００では、そのノイズをキャンセルした状態で、水平同期信号ＨＳＹＮＣまたは垂直同期信号ＶＳＹＮＣを受信することができる。
【００９９】
また、本実施形態によれば、駆動用集積回路２００は、電気光学装置１００の駆動態様を指定する各種のコマンドを時間多重制御信号ＣＤから抽出して、抽出したコマンドが示す駆動態様で電気光学装置１００の駆動制御を行う。従って、本実施形態によれば、駆動用集積回路２００に電気光学装置１００の多彩な駆動制御を行わせることができる。
【０１００】
また、本実施形態において、駆動用集積回路２００の制御回路３０は、電気光学装置１００の駆動条件の周期的な更新制御を行う駆動制御部３３を有している。また、駆動制御部３３のコマンド検知部３０２は、電気光学装置１００の駆動態様を指定するコマンドとして、周期的な更新制御の対象である駆動条件の内容を指定する同期化コマンドを抽出する機能を有している。そして、駆動制御部３３は、この同期化コマンドが抽出された場合に、周期的な更新制御の対象である駆動条件の内容を、抽出した同期化コマンドが示す内容に設定する手段を有する。従って、本実施形態によれば、ホストＣＰＵ４００は、複数の電気光学装置１００の駆動制御を行う複数の駆動用集積回路２００に同期化コマンドを供給することにより、各駆動用集積回路２００によって行われる周期的な更新制御の対象である駆動条件の内容を、所望の内容に設定することができる。具体的には、各駆動用集積回路２００において行われる階調電圧の印加順序の周期的な更新制御を同期化（パターン番号ＰＮを同じ値に同時に初期化）することができる。従って、各駆動用集積回路２００間で、パターン番号ＰＮに不一致が生じるのを防止し、表示画像に色付きが生じるのを防止することができる。
【０１０１】
以下、この色つき防止の効果について詳しく説明する。
まず、色つきの発生原因について説明する。配線ブロック内の各信号線への階調電圧の印加順序の更新制御を例えば垂直走査周期に同期して行うと、複数の垂直走査期間を通じて見た場合に、各画素回路の液晶の透過率が各信号線間で均一化される。このため、電気光学装置の表示画像に現れる表示ムラが軽減される。各信号線への階調電圧の印加順序の更新を水平走査周期に同期して行う場合も同様である。このように、１個の電気光学装置に着目した場合には、各信号線への階調電圧の印加順序の更新を行う技術は、表示ムラを軽減する効果を奏する。
【０１０２】
しかしながら、例えば投射型表示装置のように、複数の電気光学装置（液晶ライトバルブ）を用いて画像表示を行う電子機器において、各電気光学装置では、互いに独立して駆動回路の駆動条件の更新制御、具体的には配線ブロック内の各信号線への階調電圧の印加順序の更新制御を実行する。従って、各液晶ライトバルブ間で階調電圧の印加順序の更新制御にいわば位相ずれが発生し、ある水平走査周期において、Ｒ色に対応した液晶ライトバルブでは、配線ブロック内の各信号線を例えば第１信号線、第２信号線、第３信号線、第４信号線という順に選択して階調電圧を印加するのに対し、同じ水平走査期間にＧ色に対応した液晶ライトバルブでは、配線ブロック内の各信号線を第３信号線、第４信号線、第１信号線、第２信号線という順に選択して階調電圧を印加する場合も起こり得る。
【０１０３】
この場合、Ｒ色に対応した液晶ライトバルブとＧ色に対応した液晶ライトバルブとでは、一水平走査期間内における第１信号線への階調電圧の印加タイミングと第３信号線への階調電圧の印加タイミングと位置関係が逆になっている。このため、例えば投射画像における第１信号線に対応した部分に関しては、Ｇ色よりＲ色が強調され易くなり、第３信号線に対応した部分に関しては、Ｒ色よりＧ色が強調され易くなる、といったことが起こり得る。このように配線ブロック内の各信号線への階調電圧の印加順序がＲ、Ｇ、Ｂの各色に対応した各液晶ライトバルブ間で異なると、各信号線に対応した投射画像の色バランスが信号線間で異なり、投射画像に色つきが発生するのである。
【０１０４】
本実施形態の場合、上述したようにホストＣＰＵ４００は、各色に対応した複数の電気光学装置１００の駆動制御を行う複数の駆動用集積回路２００に対して一斉に同期化コマンドを送り、階調電圧の印加順序を決定するパターン番号ＰＮを初期化することができる。従って、ホストＣＰＵ４００は、この各駆動用集積回路２００への同期化コマンドの送信を、例えば階調電圧の印加順序の更新制御の周期の整数倍の周期で繰り返すことにより、各駆動用集積回路２００間で階調電圧の印加順序に不一致が生じるのを防止し、色つきの発生を防止することができる。
【０１０５】
＜第２実施形態＞
本実施形態は、上記第１実施形態において、駆動用集積回路２００の制御回路３０が、電気光学装置１００の駆動態様を指定する付加信号と水平同期信号ＨＳＹＮＣとを連続させた制御信号を時間多重制御信号ＣＤから抽出して内部水平同期信号ＨＳを発生し、この内部水平同期信号ＨＳから始まる水平走査期間の次の水平走査期間に、当該制御信号に含まれる付加信号が示す駆動態様での電気光学装置１００の駆動を開始するようにしたものである。
【０１０６】
図１２は、本実施形態においてホストＣＰＵ４００から駆動用集積回路２００へ水平同期信号ＨＳＹＮＣとともに、水平同期信号ＨＳＹＮＣに連続した２ビットの付加信号が送られる様子を示している。本実施形態において、この２ビットの付加信号は、上記第１実施形態における水平同期実行コマンドとしての役割を果たす。具体的には、２ビットの付加信号は、電気光学装置１００に設けられた複数の走査線１２のうち駆動対象とする走査線１２を指定する信号、すなわち、イネーブル信号ＥＮ１およびＥＮ２の発生を指示する信号である。
【０１０７】
図１２（ａ）に示す例では、水平同期信号ＨＳＹＮＣを示す２４ビットのビット列に続く第２５ビットが“１”、第２６ビットが“０”となっている。従って、駆動用集積回路２００の制御回路３０は、この水平同期信号ＨＳＹＮＣおよび付加信号を受信した後、次の水平同期信号ＨＳＹＮＣを受信して内部水平同期信号ＨＳを発生するときに、イネーブル信号ＥＮ１をアクティブレベルとし、イネーブル信号ＥＮ２を非アクティブレベルとしている。
【０１０８】
図１２（ｂ）に示す例では、水平同期信号ＨＳＹＮＣを示す２４ビットのビット列に続く第２５ビットが“０”、第２６ビットが“１”となっている。従って、駆動用集積回路２００の制御回路３０は、この水平同期信号ＨＳＹＮＣおよび付加信号を受信した後、次の水平同期信号ＨＳＹＮＣを受信して内部水平同期信号ＨＳを発生するときに、イネーブル信号ＥＮ１を非アクティブレベルとし、イネーブル信号ＥＮ２をアクティブレベルとしている。
【０１０９】
なお、図示を省略したが、水平同期信号ＨＳＹＮＣを示す２４ビットのビット列に続く第２５ビットおよび第２６ビットの両方を“１”とする場合もある。その場合、駆動用集積回路２００の制御回路３０は、この水平同期信号ＨＳＹＮＣおよび付加信号を受信した後、次の水平同期信号ＨＳＹＮＣを受信して内部水平同期信号ＨＳを発生するときに、イネーブル信号ＥＮ１およびＥＮ２の両方をアクティブレベルとする。
【０１１０】
付加信号を水平同期信号ＨＳＹＮＣとともに駆動用集積回路２００に送信することを可能にするためには、次の条件が満たされねばならない。すなわち、水平同期信号ＨＳＹＮＣと付加信号とからなるビット列が、垂直同期信号ＶＳＹＮＣや各種のコマンドを示すビット列を含んでいてはならないという条件である。この条件が満たされていれば、駆動用集積回路２００の制御回路３０は、時間多重制御信号から付加信号を伴う水平同期信号ＨＳＹＮＣ、垂直同期信号ＶＳＹＮＣおよび各種のコマンドの各々を他と誤ることなく抽出することができる。
従って、本実施形態においても上記第１実施形態と同様な効果が得られる。
【０１１１】
＜第３実施形態＞
本実施形態も、上記第２実施形態と同様、駆動用集積回路２００の制御回路３０が、電気光学装置１００の駆動態様を指定する付加信号と水平同期信号ＨＳＹＮＣとを連続させた制御信号を時間多重制御信号ＣＤから抽出するようにしたものである。
【０１１２】
上記第２実施形態における駆動用集積回路２００の制御回路３０は、付加信号を伴う水平同期信号ＨＳＹＮＣを時間多重制御信号から抽出したとき、その水平同期信号ＨＳＹＮＣの抽出により発生させた水平走査期間の次の水平走査期間に、当該付加信号が示す駆動態様での電気光学装置１００の駆動制御を開始した。
【０１１３】
これに対し、本実施形態における駆動用集積回路２００の制御回路３０は、付加信号を伴う水平同期信号ＨＳＹＮＣを時間多重制御信号から抽出したとき、その水平同期信号ＨＳＹＮＣの抽出により発生させた水平走査期間に、当該付加信号が示す駆動態様での電気光学装置１００の駆動制御を開始する。
【０１１４】
図１３は、本実施形態においてホストＣＰＵ４００から駆動用集積回路２００へ水平同期信号ＨＳＹＮＣとともに水平同期信号ＨＳＹＮＣに連続した２ビットの付加信号が送られる様子を示している。上記第２実施形態と同様、この２ビットの付加信号は、上記第１実施形態におけるイネーブル信号ＥＮ１およびＥＮ２の発生を指示する信号である。
【０１１５】
図１３（ａ）に示す例では、水平同期信号ＨＳＹＮＣを示す２４ビットのビット列に続く第２５ビットが“１”、第２６ビットが“０”となっている。従って、駆動用集積回路２００の制御回路３０は、この水平同期信号ＨＳＹＮＣおよび付加信号を受信して内部水平同期信号ＨＳを発生したときに、イネーブル信号ＥＮ１をアクティブレベルとし、イネーブル信号ＥＮ２を非アクティブレベルとしている。
【０１１６】
図１３（ｂ）に示す例では、水平同期信号ＨＳＹＮＣを示す２４ビットのビット列に続く第２５ビットが“０”、第２６ビットが“１”となっている。従って、駆動用集積回路２００の制御回路３０は、この水平同期信号ＨＳＹＮＣおよび付加信号を受信して内部水平同期信号ＨＳを発生したときに、イネーブル信号ＥＮ１を非アクティブレベルとし、イネーブル信号ＥＮ２をアクティブレベルとしている。
本実施形態においても上記第１および第２実施形態と同様な効果が得られる。
【０１１７】
＜変形例＞
以上、この発明の第１〜第３実施形態について説明したが、本発明は上述した実施形態に限定されるものではなく、例えば、以下の変形が可能である。
【０１１８】
（１）上記第１実施形態では、内部水平同期信号ＨＳの発生を指示するコマンドおよび内部垂直同期信号ＶＳを指示するコマンドを設け、駆動制御部３３では、コマンド検知部３０２がこれらのコマンドを含む各種のコマンドを時間多重制御信号から抽出するようにしてもよい。この態様は、同期信号検知部３０１を駆動制御部３３に設ける必要がなくなるという利点がある。
【０１１９】
（２）上記第２および第３実施形態では、駆動用集積回路２００の制御回路３０が、付加信号を伴う水平同期信号ＨＳＹＮＣからなる制御信号を受信し得るようにしたが、駆動用集積回路２００の制御回路３０が、付加信号を伴う垂直同期信号ＶＳＹＮＣからなる制御信号を受信し得るようにしてもよい。例えば、制御回路３０が、電気光学装置１００の駆動態様を指定する付加信号と垂直同期信号ＶＳＹＮＣとを連続させた制御信号を時間多重制御信号ＣＤから抽出して内部垂直同期信号ＶＳを発生し、この内部垂直同期信号ＶＳから始まる垂直走査期間の次の垂直走査期間に、当該制御信号に含まれる付加信号が示す駆動態様での電気光学装置１００の駆動を行う態様が考えられる。また、他の態様として、制御回路３０が、電気光学装置１００の駆動態様を指定する付加信号と垂直同期信号ＶＳＹＮＣとを連続させた制御信号を時間多重制御信号ＣＤから抽出して内部垂直同期信号ＶＳを発生し、この内部垂直同期信号ＶＳから始まる垂直走査期間に、当該制御信号に含まれる付加信号が示す駆動態様での電気光学装置１００の駆動を行う態様が考えられる。付加信号により指示する駆動制御の例としては、階調電圧の極性の制御、パターン番号ＰＮの同期化制御等が考えられる。
【０１２０】
（３）上記第１実施形態において、レシーバー６２に対する電源電流の経路にスイッチを設け、一水平走査期間分の画像信号の画像信号受信部３１への格納が一水平走査期間の途中で終了した場合に、上記スイッチをＯＦＦにして、次の水平走査期間が開始されるまでレシーバー６２に対する電力供給を停止する手段を制御回路３０に設けてもよい。この態様によれば、画像信号の供給が行われない期間内のレシーバー６２への電力供給を断ち、駆動用集積回路２００の消費電力を低減することができる。
【０１２１】
（４）液晶素子４２は電気光学素子の例示に過ぎない。本発明に適用される電気光学素子について、自身が発光する自発光型と外光の透過率や反射率を変化させる非発光型（例えば液晶素子４２）との区別や、電流の供給によって駆動される電流駆動型と電界（電圧）の印加によって駆動される電圧駆動型との区別は不問である。例えば、有機ＥＬ素子，無機ＥＬ素子，ＬＥＤ（Ｌｉｇｈｔ  Ｅｍｉｔｔｉｎｇ  Ｄｉｏｄｅ），電界電子放出素子（ＦＥ（Ｆｉｅｌｄ−Ｅｍｉｓｓｉｏｎ）素子），表面伝導型電子放出素子（ＳＥ（Ｓｕｒｆａｃｅ  ｃｏｎｄｕｃｔｉｏｎ  Ｅｌｅｃｔｒｏｎ  ｅｍｉｔｔｅｒ）素子），弾道電子放出素子（ＢＳ（Ｂａｌｌｉｓｔｉｃ  ｅｌｅｃｔｒｏｎ  Ｅｍｉｔｔｉｎｇ）素子），電気泳動素子、エレクトロクロミック素子など様々な電気光学素子を利用した電気光学装置１００に本発明は適用される。すなわち、電気光学素子は、電流の供給や電圧（電界）の印加といった電気的な作用に応じて階調（透過率や輝度などの光学的な特性）が変化する電気光学物質（例えば液晶４２５）を利用した被駆動素子（典型的には、階調信号に応じて階調が制御される表示素子）として包括される。
【０１２２】
＜応用例＞
この発明は、投射型表示装置以外の各種の電子機器に利用され得る。図１４および図１５は、この発明の適用対象となる電子機器の具体的な形態を例示するものである。
【０１２３】
図１４は、電気光学装置を採用した可搬型のパーソナルコンピューターの斜視図である。パーソナルコンピューター２０００は、各種の画像を表示する電気光学装置１００と、電源スイッチ２００１やキーボード２００２が設置された本体部２０１０とを具備する。
【０１２４】
図１５は、携帯電話機の斜視図である。携帯電話機３０００は、複数の操作ボタン３００１およびスクロールボタン３００２と、各種の画像を表示する電気光学装置１００とを備える。スクロールボタン３００２を操作することによって、電気光学装置１００に表示される画面がスクロールされる。本発明はこのような携帯電話機にも適用可能である。
【０１２５】
なお、本発明が適用される電子機器としては、図１、図１４および図１５に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【０１２６】
１００，１００Ｒ，１００Ｇ，１００Ｂ……電気光学装置、２００……駆動用集積回路、３００……フレキシブル回路基板、４００……ホストＣＰＵ、１０……画素部、ＰＩＸ……画素回路、１２……走査線、１４……信号線、２２……走査線駆動回路、２４……信号線駆動回路、３０……制御回路、４２……液晶素子、４４……選択スイッチ、５７［１］〜５７［Ｊ］……デマルチプレクサー、５６［１］〜５６［Ｊ］……駆動電圧発生回路、５３［１］〜５３［Ｊ］……マルチプレクサー、５２［１］〜５２［Ｊ］……レジスターブロック、５１……画像信号記憶部、６０……レシーバー部、６１，６２，６３……レシーバー、３１……画像信号受信部、３２……受信バッファー、３３……駆動制御部、３０１……同期信号検知部、３０２……コマンド検知部、３０３……駆動条件レジスター部、３５……パターンジェネレーター。
【図１】
0005754182.tif 000002
【図２】
0005754182.tif 000003
【図３】
0005754182.tif 000004
【図４】
0005754182.tif 000005
【図５】
0005754182.tif 000006
【図６】
0005754182.tif 000007
【図７】
0005754182.tif 000008
【図８】
0005754182.tif 000009
【図９】
0005754182.tif 000010
【図１０】
0005754182.tif 000011
【図１１】
0005754182.tif 000012
【図１２】
0005754182.tif 000013
【図１３】
0005754182.tif 000014
【図１４】
0005754182.tif 000015
【図１５】
0005754182.tif 000016